【手続補正書】
【提出日】平成18年12月7日(2006.12.7)
【手続補正１】
【補正対象書類名】明細書
【補正対象項目名】特許請求の範囲
【補正方法】変更
【補正の内容】
【特許請求の範囲】
【請求項１】  一般パケット無線サービス（ＧＰＲＳ）システムにおいて提供される他のサービスと平行に位置決定サービスを提供するための電気無線通信システムであって、
移動局（２０）と無線通信して、当該移動局（２０）の位置決定要求（２８５）を受信するサービスを提供するＧＰＲＳサポートノード（３０）と、
位置決定サービストランザクション形式（２３６）と少なくとも１つの追加トランザクション形式（２３２又は２３４）をサポートする、当該ＧＰＲＳノード（３０）と移動局（２０）の接続管理サブレイヤ（２３０）と、
前記サービスを提供しているＧＰＲＳサポートノード（３０）と移動局（２０）とにおける論理リンク制御サブレイヤであって、前記サービスを提供しているＧＰＲＳサポートノード（３０）が、論理リンク制御サブレイヤ（２２５）を使用して、前記サービスを提供しているＧＰＲＳサポートノード（３０）の位置決定サービストランザクション形式（２３６）と前記移動局（２０）の位置決定サービストランザクション形式（２３６）との間の接続を確立して位置決定要求（２８５）を実行する論理リンク制御サブレイヤ（２２５）と、
を有する電気通信システム。
【請求項２】  さらに、前記サービスを提供しているＧＰＲＳサポートノード（３０）と前記移動局（２０）において無線リンク制御サブレイヤ（２２０）を有し、前記サービスを提供しているＧＰＲＳサポートノード（３０）と前記移動局（２０）の位置決定サービストランザクション形式（２３６）の前記論理リンク制御サブレイヤ（２２５）間の接続が、前記対応する無線リンク制御サブレイヤ（２２０）を使用して確立される請求項１に記載の電気通信システム。
【請求項３】  前記サービスを提供しているＧＰＲＳサポートノード（３０）と移動局（２０）が物理レイヤ（２０５）、データリンクレイヤ（２１０）及びアプリケーションレイヤ（２１５）を有し、前記無線リンク制御サブレイヤ（２２０）、前記接続管理サブレイヤ（２３０）及び前記論理リンク制御サブレイヤ（２２５）が前記アプリケーションレイヤ（２１５）に属する請求項２に記載の電気通信システム。
【請求項４】  前記少なくとも１つの追加トランザクション形式（２３２又は２３４）には、セッション管理トランザクション形式（２３２）とショートメッセージトランザクション形式（２３４）のうちの少なくとも１つが含まれる請求項１に記載の電気通信システム。
【請求項５】  前記移動局（２０）と前記サービスを提供しているＧＰＲＳサポートノード（３０）とは、それぞれの、少なくとも１つの追加トランザクション形式（２３２又は２３４）の間に追加の論理リンク制御（２２５）の接続も有しており、前記位置決定サービストランザクション形式（２３６）と前記少なくとも１つの追加トランザクション形式（２３２又は２３４）とが提供するサービスは、互いに他の障害とならずに同時に提供される請求項１に記載の電気通信システム。
【請求項６】  前記移動局（２０）と前記サービスを提供しているＧＰＲＳサポートノード（３０）における前記論理リンク制御レイヤ（２２５）は、前記移動局（２０）と前記サービスを提供しているＧＰＲＳサポートノード（３０）との対応する位置決定サービストランザクション形式（２３６）の間に前記論理リンク制御（２２５）の接続を確立するための位置決定サービスのサービスアクセス点識別子（２３７）と、前記移動局（２０）とサービスを提供しているＧＰＲＳサポートノード（３０）との対応する少なくとも１つの追加のトランザクション形式（２３２又は２３４）の間に前記追加の論理リンク制御（２２５）の接続を確立するための、追加のサービスアクセス点識別子（２３３又は２３５）を有する請求項５に記載の電気通信システム。
【請求項７】  前記位置決定サービストランザクション形式（２３６）は、前記移動局（２０）と前記サービスを提供しているＧＰＲＳサポートノード（３０）との対応する位置決定サービストランザクション形式（２３６）の間に論理リンク制御（２２５）の接続を確立するための第１のプロトコルディスクリミネータ（２４４）を有し、前記少なくとも１つの追加のトランザクション形式（２３２又は２３４）は、前記移動局（２０）と前記サービスを提供しているＧＰＲＳサポートノード（３０）との前記対応する少なくとも１つの追加のトランザクション形式（２３２又は２３４）の間に追加の論理リンク制御（２２５）の接続を確立するための第２のプロトコルディスクリミネータ（２４０又は２４２）を有する請求項５に記載の電気通信システム。
【請求項８】  前記少なくとも１つの追加のトランザクション形式は、セッション管理トランザクション形式（２３２）であり、前記移動局（２０）と前記サービスを提供しているＧＰＲＳサポートノード（３０）とは、前記移動局（２０）のためのデータ接続を確立するために、前記対応するセッション管理トランザクション形式（２３２）の間に追加の論理リンク制御（２２５）の接続を有し、前記サービスを提供しているＧＰＲＳサポートノード（３０）と前記移動局（２０）の前記対応する位置決定サービストランザクション形式（２３６）の間の論理リンク制御（２２５）の接続は、前記データ接続を邪魔することなく確立される請求項１に記載の電気通信システム。
【請求項９】  前記少なくとも１つの追加のトランザクション形式は、セッション管理トランザクション形式（２３２）とショートメッセージトランザクション形式（２３４）のうちの少なくとも１つを含み、前記位置決定サービストランザクション形式（２３６）は位置決定サービスをサポートし、追加のサービスは前記セッション管理トランザクション形式（２３２）やショートメッセージトランザクション形式（２３４）ではサポートされない請求項１に記載の電気通信システム。
【請求項１０】  一般パケット無線サービス（ＧＰＲＳ）システムにおいて、セッション管理サービスとショートメッセージサービスと平行に位置決定サービスを提供する電気通信システムであって、
移動局（２０）とサービスを提供しているＧＰＲＳサポートノード（３０）とにおける移動局（２０）と無線通信を確立する無線リンク制御サブレイヤ（２２０）であって、前記サービスを提供しているＧＰＲＳサポートノード（３０）と前記移動局（２０）との間でデータ送信を行う無線リンク制御サブレイヤ（２２０）と、
前記サービスを提供しているＧＰＲＳサポートノード（３０）と前記移動局（２０）における接続管理サブレイヤ（２３０）であって、セッション管理トランザクション形式（２３２）、ショートメッセージトランザクション形式（２３４）及び位置決定サービストランザクション形式（２３６）を有する接続管理サブレイヤ（２３０）と、
前記サービスを提供するＧＰＲＳサポートノード（３０）と前記移動局（２０）における論理リンク制御サブレイヤ（２２５）であって、前記サービスを提供しているＧＰＲＳサポートノード（３０）と前記移動局（２０）との、前記セッション管理トランザクション形式（２３２）、ショートメッセージトランザクション形式（２３４）及び位置決定サービストランザクション形式（２３６）との間の接続を、無線リンク制御サブレイヤ（２２０）を使用して平行に提供する論理リンク制御サブレイヤ（２２５）とを有する電気通信システム。
【請求項１１】  さらに、前記サービスを提供しているＧＰＲＳサポートノード（３０）と前記移動局（２０）とが、物理レイヤ（２０５）、データリンクレイヤ（２１０）及びアプリケーションレイヤ（２１５）を有し、前記無線リンク制御サブレイヤ（２２０）、前記接続管理サブレイヤ（２３０）及び前記論理リンク制御サブレイヤ（２２５）とが前記アプリケーションレイヤ（２１５）内にある請求項１０に記載の電気通信システム。
【請求項１２】  前記移動局（２０）と前記サービスを提供しているＧＰＲＳサポートノード（３０）とにおける前記論理リンク制御レイヤ（２２５）は、前記移動局（２０）と前記サービスを提供しているＧＰＲＳサポートノード（３０）との対応する位置決定サービストランザクション形式（２３６）の間に位置決定サービス論理リンク制御（２２５）の接続を確立するための位置決定サービスのサービスアクセス点識別子（２３７）と、前記移動局（２０）と前記サービスを提供しているＧＰＲＳサポートノード（３０）との前記対応するセッション管理トランザクション形式（２３２）の間にセッション管理論理リンク制御（２２５）の接続を確立するためのセッション管理サービスアクセス点識別子（２３３）と、前記移動局（２０）と前記サービスを提供しているＧＰＲＳサポートノード（３０）との前記対応するショートメッセージトランザクション形式（２３４）の間に上記と平行にショートメッセージ論理リンク制御（２２５）の接続を確立するためのショートメッセージサービスアクセス点識別子（２３４）とを有する請求項１０に記載の電気通信システム。
【請求項１３】  前記位置決定サービストランザクション形式（２３６）は、前記移動局（２０）と前記サービスを提供しているＧＰＲＳサポートノード（３０）との前記対応する位置決定サービストランザクション形式（２３６）の間に位置決定サービス論理リンク制御（２２５）の接続を確立するための第１のプロトコルディスクリミネータ（２４４）を有し、前記セッション管理トランザクション形式（２３２）は、前記移動局（２０）と前記サービスを提供しているＧＰＲＳサポートノード（３０）との前記対応するセッション管理トランザクション形式（２３２）の間にセッション管理論理リンク制御（２２５）の接続を確立するための第２プロトコルディスクリミネータ（２４０）を有し、前記ショートメッセージトランザクション形式（２３４）は、前記移動局（２０）と前記サービスを提供しているＧＰＲＳサポートノード（３０）との前記対応するショートメッセージトランザクション形式（２３４）の間にショートメッセージ論理リンク制御（２２５）の接続を確立するための第３プロトコルディスクリミネータ（２４２）を有する請求項１０に記載の電気通信システム。
【請求項１４】  電気通信システムに、一般パケット無線サービス（ＧＰＲＳ）内で提供される他のサービスと平行に位置決定サービスを提供させる方法であって、
移動局（２０）と無線通信を確立してサービスを提供しているＧＰＲＳサポートノード（３０）が前記移動局（２０）に関する位置決定サービス要求（２８５）を受け、前記サービスを提供しているＧＰＲＳサポートノード（３０）と移動局（２０）はそれぞれ、対応する接続管理サブレイヤ（２３０）を有し、各対応する接続管理サブレイヤ（２３０）は位置決定サービストランザクション形式（２３６）と少なくとも１つの追加のトランザクション形式（２３２又は２３４）とを有し、前記サービスを提供しているＧＰＲＳサポートノード（３０）と前記移動局（２０）はそれぞれ、前記対応する接続管理サブレイヤ（２３０）に接続された、対応する論理リンク制御サブレイヤ（２２５）を有しており、
サービスを提供しているＧＰＲＳサポートノード（３０）が、前記サービスを提供しているＧＰＲＳサポートノード（３０）と移動局（２０）との前記位置決定サービストランザクション形式（２３６）の間に、前記位置決定サービス要求（２８５）を実行するために、前記論理リンク制御サブレイヤ（２２５）を使用して、接続を確立することを含む方法。
【請求項１５】  さらに、前記サービスを提供しているＧＰＲＳサポートノード（３０）が、前記サービスを提供しているＧＰＲＳサポートノード（３０）と前記移動局（２０）との前記対応する少なくとも１つの追加のトランザクション形式（２３２又は２３４）の間に追加の論理リンク制御（２２５）の接続を確立し、前記位置決定サービストランザクション形式（２３６）と前記少なくとも１つの追加トランザクション形式（２３２又は２３４）とが提供するサービスは互いに邪魔をせずに平行に提供される請求項１４に記載の方法。
【請求項１６】  前記少なくとも１つの追加のトランザクション形式はセッション管理トランザクション形式（２３２）であり、さらに、
前記サービスを提供しているＧＰＲＳサポートノード（３０）が、サービスを提供しているＧＰＲＳサポートノード（３０）と前記移動局（２０）との前記対応するセッション管理トランザクション形式（２３２）の間に追加の論理リンク制御（２２５）の接続を確立して、位置決定サービス要求（２８５）の実行と平行に前記移動局（２０）に対するデータ接続を確立する過程を含む請求項１４に記載の方法。
【請求項１７】  前記サービスを提供しているＧＰＲＳサポートノード（３０）と前記移動局（２０）との前記位置決定サービストランザクション形式（２３６）の間に前記論理リンク制御（２２５）の接続を確立するステップは、さらに、
前記位置決定サービストランザクション形式（２３６）の前記論理リンク制御レイヤ（２２５）の中に位置決定サービスのサービスアクセス点識別子（２３７）を割り当て、
前記サービスを提供しているＧＰＲＳサポートノード（３０）と前記移動局（２０）との前記位置決定サービストランザクション形式（２３６）の間に、位置決定サービスのサービスアクセス点識別子（２３７）を使用して、前記論理リンク制御（２２５）の接続を確立することを含む請求項１４に記載の方法。
【請求項１８】  前記サービスを提供しているＧＰＲＳサポートノード（３０）と前記移動局（２０）との前記位置決定サービストランザクション形式（２３６）の間に前記論理リンク制御（２２５）の接続を確立する過程は、さらに、
前記位置決定サービストランザクション形式（２３６）に対して位置決定サービスプロトコルディスクリミネータ（２４４）を割り当て、
前記サービスを提供しているＧＰＲＳサポートノード（３０）と前記移動局（２０）との前記位置決定サービストランザクション形式（２３６）の間に、前記位置決定サービスプロトコルディスクリミネータ（２４４）を使用して論理リンク制御（２２５）の接続を確立することを含む請求項１４に記載の方法。